(57)【要約】【課題】一斉指令の再指令を自動で実施することを可能とする技術を提供することにある。【解決手段】無線通信システムは、統制局と、端末局と、を含む。前記統制局は、一斉指令台と、一斉指令制御装置と、を含む。前記統制局は、一斉指令と、前記一斉指令の再指令と、を実施することが可能である。前記一斉指令制御装置は、前記再指令における、指令種別毎の設定情報を記憶し、一斉指令が終了後、当該一斉指令の指令種別の前記設定情報を参照し、参照した設定情報に基づいて前記再指令を行う。【選択図】図３
2020161878.tif 000002
【特許請求の範囲】
【請求項１】
一斉指令台と、一斉指令制御装置と、で構成された統制局と、
端末局と、
を含み、
前記一斉指令制御装置は、一斉指令の再指令における、指令種別毎の設定情報を記憶し、一斉指令が終了後、当該一斉指令の指令種別の前記設定情報を参照し、参照した設定情報に基づいて前記再指令を行う、無線通信システム。
【請求項２】
前記統制局は、外部システムの一斉指令制御装置を含み、
前記一斉指令制御装置は、前記端末局または前記外部システムの内、少なくとも一方を再指令の対象局とした前記設定情報を記憶しており、前記再指令の対象局に対して再指令を行う、請求項１に記載の無線通信システム。
【請求項３】
前記一斉指令制御装置は、前記設定情報として、再指令の回数を記憶しており、前記回数の再指令において、１度でも受令確認が確認された前記再指令の対象局を、再指令が成功した対象局と判断する、請求項２に記載の無線通信システム。
【請求項４】
前記指令種別は、音声一斉と、データ一斉と、を含み、
前記設定情報は、
前記指令種別が前記音声一斉の場合、前記端末局と前記外部システムとが前記再指令の対象局であり、
前記指令種別が前記データ一斉の場合、前記端末局が前記再指令の対象局である、請求項２または３に記載の無線通信システム。
【発明の詳細な説明】
【技術分野】
【０００１】
本開示は、無線通信システムに関し、特に、一斉指令の発令を有する無線通信システムに適用可能である。
【背景技術】
【０００２】
無線通信システムとして、地域防災行政無線システムがある。地域防災行政無線システムは、一斉指令系システムを含む。一斉指令系システムは、統制局において一斉指令の発令を行う一斉指令台、一斉指令の通信制御を行う一斉指令制御装置、音声やＦＡＸなどの通信において、デジタル信号とアナログ信号の変換を行う音声/ＦＡＸ変換装置、画像データの取り込みを行うプリンタ/スキャナ/ＦＡＸ装置等によって構成される。一斉指令系システムは、他の外部システムとも連動し、統制局制御装置及び基地局無線装置及び移動系無線装置にて構成される市町村防災無線システム（２６０ＭＨｚのデジタル移動通信システム）への一斉指令も可能である。また、一斉指令を受信する端末局においては、音声やデータ一斉の受信を行い、応答確認や受令確認を返す一斉受令装置、文字データやＦＡＸ一斉の印字を行うプリンタ/ＦＡＸ装置などで構成される。
【０００３】
一斉指令台から各子局へ一斉指令を行う２６０ＭＨｚの防災行政無線システムとして、特開２０１４−７２５６７号公報が提案されている。
【先行技術文献】
【特許文献】
【０００４】
【特許文献１】特開２０１４−７２５６７号公報
【発明の概要】
【発明が解決しようとする課題】
【０００５】
一斉指令操作に際し、一斉受令装置や移動系無線装置から応答または受令確認に異常があった場合、一斉指令動作の終了処理後に、一斉指令台を再度操作し、指令履歴から特定の一斉指令を選択した後に、一斉指令の再指令を実行する。そのため、一斉指令毎に操作者による手動操作を介する必要があった。
【０００６】
本開示の課題は、一斉指令の再指令を自動で実施することを可能とする技術を提供することにある。
【０００７】
その他の課題と新規な特徴は、本明細書の記述および添付図面から明らかになるであろう。
【課題を解決するための手段】
【０００８】
本開示のうち代表的なものの概要を簡単に説明すれば下記の通りである。
【０００９】
すなわち、無線通信システムは、統制局と、端末局と、を含む。前記統制局は、一斉指令台と、一斉指令制御装置と、を含む。前記統制局は、一斉指令と、前記一斉指令の再指令と、を実施することが可能である。前記一斉指令制御装置は、前記再指令における、指令種別毎の設定情報を記憶し、一斉指令が終了後、当該一斉指令の指令種別の前記設定情報を参照し、参照した設定情報に基づいて前記再指令を行う。
【発明の効果】
【００１０】
上記無線通信システムよれば、一斉指令の再指令を自動で実施することが可能である。
【図面の簡単な説明】
【００１１】
【図１】図１は、実施例に係る無線通信システムを示す図である。
【図２】図２は、比較例に係る一斉指令の操作の処理フローを説明する図である。
【図３】図３は、実施例に係る一斉指令の操作の処理フローを説明する図である。
【図４】図４は、一斉指令の指令種別の選択画面を示す図である。
【図５】図５は、「音声一斉」ボタン、または、「ＦＡＸ一斉」ボタンを選択した場合の一斉指令内容選択画面の構成例を示す図である。
【図６】図６は、「データ一斉」ボタンを選択した場合の一斉指令内容選択画面の構成例を示す図である。
【図７】図７は、実施例に係る一斉指令のシーケンスの一部分を示す図である。
【図８】図８は、図７に続く、一斉指令のシーケンスの一部分を示す図である。
【図９】図９は、指令結果を説明する図である。
【発明を実施するための形態】
【００１２】
以下、実施例について、図面を用いて説明する。ただし、以下の説明において、同一構成要素には同一符号を付し繰り返しの説明を省略することがある。なお、図面は説明をより明確にするため、実際の態様に比べ、模式的に表される場合があるが、あくまで一例であって、本発明の解釈を限定するものではない。
【実施例】
【００１３】
図１は、実施例に係る無線通信システムを示す図である。無線通信システム１は、一例では、地域防災行政無線システムに含まれる一斉指令系システムである。無線通信システム１は、統制局２と、端末局３と、端末局４と、２６０ＭＨｚの無線システム（外部システム）の無線送受信装置５と、ＩＰ網を構成するための通信回線６と、を含む。
【００１４】
統制局２は、マイク２１と、マイク２１に接続され、一斉指令の発令を行う一斉指令台２２と、一斉指令の通信制御を行う一斉指令制御装置２３と、音声やＦＡＸなどの通信において、デジタル信号とアナログ信号の変換を行う音声/ＦＡＸ変換装置２４と、画像データの取り込みを行うプリンタ/スキャナ/ＦＡＸ装置２５と、２６０ＭＨｚの無線システムの一斉指令を制御する統制局制御装置２６と、を有する。統制局２は、また、通信回線２７を有し、通信回線２７は各装置（２２〜２６）を相互に接続するとともに、通信回線６にも接続される。無線システム統制局制御装置２６は、無線送受信装置５および音声/ＦＡＸ変換装置２４に接続される。
【００１５】
一斉指令制御装置２３は、記憶部２３ａを有する。記憶部２３ａは、一斉指令の再指令に関する設定情報等を記憶する。統制局２は、一斉指令の発令と、一斉指令の再指令の発令と、を行うことが可能である。
【００１６】
端末局３は、統制局２からの一斉指令を受信する。端末局３は、音声やデータ一斉の受信を行い、応答確認や受令確認を返す一斉受令装置３１と、文字データやＦＡＸ一斉の印字を行うプリンタ/ＦＡＸ装置３２と、無線送受信装置５と間で無線通信を行う、２６０ＭＨｚの無線システムの移動系無線装置３３と、通信回線３４と、を有する。通信回線３４は、各装置（３１、３２）を相互に接続するとともに、通信回線６にも接続される。
【００１７】
端末局４は、統制局２からの一斉指令を受信する。端末局４は、端末局３と同様な構成とすることができる。端末局４は、音声やデータ一斉の受信を行い、応答確認や受令確認を返す一斉受令装置４１と、文字データやＦＡＸ一斉の印字を行うプリンタ/ＦＡＸ装置４２と、無線送受信装置５と間で無線通信を行う、２６０ＭＨｚの無線システムの移動系無線装置４３と、通信回線４４と、を有する。通信回線４４は、各装置（４１、４２）を相互に接続するとともに、通信回線６にも接続される。
【００１８】
無線通信システム１は、統制局制御装置２６、無線送受信装置５及び移動系無線装置３３、４３にて構成される市町村防災無線システム（２６０ＭＨｚのデジタル移動通信システム）への一斉指令も可能である。統制局２、端末局３、４は、通信回線６に接続されてＩＰ網を構成している。
【００１９】
（課題の説明）
次に、図２を用いて、課題を説明する。図２は、比較例に係る一斉指令の操作の処理フローを説明する図である。図２では、一斉指令台２２の表示画面に表示される各制御画面の推移およびその画面での操作を説明する。なお、以下の説明において、Ｓ１〜Ｓ９のおのおのは、ステップを表している。
【００２０】
Ｓ１：一斉指令台２２において、一斉指令の操作を行うと、一斉指令の初期画面が一斉指令台２２の表示画面に表示される。初期画面には、「一斉指令」ボタンと、「履歴検索」ボタンと、が表示される。「一斉指令」ボタンを押下すると、Ｓ２へ移行する。「履歴検索」ボタンを押下すると、Ｓ８へ移行する。
【００２１】
Ｓ２：一斉指令の初期画面において、「一斉指令」ボタンを押下すると、一斉指令台２２の表示画面には、一斉指令内容選択画面が表示される。一斉指令内容選択画面には、「指令開始」ボタンが表示される。一斉指令内容を選択した後、「指令開始」ボタンを押下すると、Ｓ３へ移行する。
【００２２】
Ｓ３：一斉指令内容選択画面において、「指令開始」ボタンを押下すると、一斉指令台２２の表示画面には、接続確認中画面が表示される。接続が完了すると、Ｓ４へ移行する。
【００２３】
Ｓ４：接続が完了すると、指令中画面が表示される。指令中画面には、「応答／受令確認開始」ボタンが表示される。「応答／受令確認開始」ボタンを押下すると、Ｓ５へ移行する。また、指令最大時間が経過すると、Ｓ５へ移行する。
【００２４】
Ｓ５：指令中画面において、「応答／受令確認開始」ボタンを押下した場合、および、指令最大時間が経過した場合、一斉指令台２２の表示画面には、受令確認中画面が表示される。受令確認中画面には、「受令確認終了」ボタンが表示される。タイマが満了した場合、「受令確認終了」ボタンを押下した場合、または、受令確認が完了した場合、Ｓ６へ移行する。
【００２５】
Ｓ６：タイマが満了した場合、「受令確認終了」ボタンを押下した場合、または、受令確認が完了した場合、一斉指令台２２の表示画面には、終了処理中画面が表示される。終了処理が完了すると、Ｓ７へ移行する。
【００２６】
Ｓ７：終了処理が完了した場合、一斉指令台２２の表示画面には、終了画面が表示される。終了画面には、「初期画面」ボタンが表示される。タイマが満了した場合、または、「初期画面」ボタンが押下された場合、Ｓ１へ移行する。
【００２７】
一斉指令操作に際し、一斉受令装置３１、４１や移動系無線装置３３，４３から応答または受令確認に異常があった場合、一斉指令動作の終了処理（Ｓ７）後に、一斉指令台２２を再度操作し、指令履歴を表示させる。そして、指令履歴から特定の一斉指令を選択した後に、一斉指令の再指令を実行する。つまり、初期画面に表示される「履歴検索」ボタンを押下し、Ｓ８へ移行する。
【００２８】
Ｓ８：初期画面に表示される「履歴検索」ボタンを押下すると、一斉指令台２２の表示画面には、履歴検索条件入力画面が表示される。履歴検索条件入力画面には、検索の条件入力部と、「表示」ボタンが表示される。検索の条件入力部に、検索条件を入力し、「表示」ボタンを押下すると、Ｓ９へ移行する。
【００２９】
Ｓ９：検索の条件入力部に、検索条件を入力し、「表示」ボタンを押下すると、一斉指令台２２の表示画面には、履歴一覧表示画面が表示される。履歴一覧表示画面には、検索条件と一致する１または複数の一斉指令の一覧が指令履歴として表示される。また、履歴一覧表示画面には、「再指令」ボタンが表示される。指令履歴から特定の一斉指令を選択した後、「再指令」ボタンを押下すると、Ｓ２へ移行し、一斉指令の再指令（Ｓ３〜Ｓ７）が実行される。
【００３０】
ここで、Ｓ１−＞Ｓ２、Ｓ２−＞Ｓ３、Ｓ１−＞Ｓ８、Ｓ８−＞Ｓ９、および、Ｓ９−＞Ｓ２の移行は、一斉指令台２２の操作者による手動での画面操作が必要となる。そのため、一斉指令の再指令毎に、操作者による手動操作を介する必要がある、という課題があった。
【００３１】
（一斉指令および再指令の操作）
図３は、実施例に係る一斉指令の操作の処理フローを説明する図である。図３では、図２と同様に、一斉指令台２２の表示画面に表示される各制御画面の推移およびその画面での操作を説明する。図３が図２と異なる点は、図３において、ステップＳ１０〜Ｓ１３が追加されている点である。また、図３のステップＳ２ａは、一斉指令の再指令の設定情報（再指令の最大回数や再指令の対象局の設定）等が追加される点が図２のステップＳ２と異なる点である。
【００３２】
図３では、一斉指令台２２から一斉指令を発令操作する際に、一斉指令毎に端末局（３１、３３、４１，４３）から応答または受令確認がなかった際に、どの装置へ最大何回の再指令を実施するという設定を一斉指令台２２の一斉指令内容選択画面に入力する。一斉指令制御装置２３は入力された内容に従って、自動的に設定された再指令の回数が満了するか、もしくは指令対象局となった全端末局（３１、３３、４１，４３）から応答及び受令確認があるまで再指令を実行するものである。以下、図３について説明する。
【００３３】
Ｓ１：一斉指令台２２において、一斉指令の操作を行うと、一斉指令の初期画面が一斉指令台２２の表示画面に表示される。初期画面には、「一斉指令」ボタンと、「履歴検索」ボタンと、が表示される。「一斉指令」ボタンを押下すると、Ｓ２ａへ移行する。「履歴検索」ボタンを押下すると、Ｓ８へ移行する。
【００３４】
Ｓ２ａ：一斉指令の初期画面において、「一斉指令」ボタンを押下すると、一斉指令台２２の表示画面には、一斉指令内容選択画面が表示される。一斉指令内容選択画面には、「指令開始」ボタンが表示される。一斉指令内容を選択した後、「指令開始」ボタンを押下すると、Ｓ３へ移行する。一斉指令内容選択画面には、一斉指令の指令種別（ＦＡＸ一斉、音声一斉、データ一斉等）の選択画面（後述される図４参照）と、一斉指令を発令する装置のグループの選択画面（後述される図５の８１、８２、または、図６の８２ａ）と、再指令の設定を入力する再指令設定画面（後述される図５、図６の８３）と、を有する。再指令設定画面は、再指令を行う設備や装置の選択部（後述される図５、図６の８３１、８３２）と、再指令設定回数の入力部（後述される図５、図６の８３３）と、を有する。再指令を行う設備や装置の選択部において、再指令の対象局が選択される。また、再指令設定回数の入力部において、再指令の回数が入力される。
【００３５】
Ｓ３：一斉指令内容選択画面において、「指令開始」ボタンを押下すると、一斉指令台２２の表示画面には、接続確認中画面が表示される。接続が完了すると、Ｓ４へ移行する。
【００３６】
Ｓ４：接続が完了すると、指令中画面が表示される。指令中画面には、「応答／受令確認開始」ボタンが表示される。「応答／受令確認開始」ボタンを押下すると、Ｓ５へ移行する。また、指令最大時間が経過すると、Ｓ５へ移行する。
【００３７】
Ｓ５：指令中画面において、「応答／受令確認開始」ボタンを押下した場合、および、指令最大時間が経過した場合、一斉指令台２２の表示画面には、受令確認中画面が表示される。受令確認中画面には、「受令確認終了」ボタンが表示される。統制局２に設けたタイマが満了した場合、「受令確認終了」ボタンを押下した場合、または、受令確認が完了した場合、Ｓ６へ移行する。
【００３８】
Ｓ６：タイマが満了した場合、「受令確認終了」ボタンを押下した場合、または、受令確認が完了した場合、一斉指令台２２の表示画面には、終了処理中画面が表示される。終了処理が完了すると、Ｓ１０へ移行する。つまり、一斉指令がＳ３〜Ｓ６によって完了した後、一斉指令の再指令の処理がＳ１０〜Ｓ１３に基づいて自動的に行われる。
【００３９】
Ｓ１０：Ｓ２ａで説明した再指令設定画面に、再指令設定が入力されたか否かが確認される。再指令設定が有る場合（Ｙ）、Ｓ１１へ移行する。再指令設定が無い場合（Ｎ）、Ｓ７へ移行する。
【００４０】
Ｓ１１：再指令設定回数の入力部に入力された再指令設定回数が満了したか否かが確認される。満了した場合（Ｙ）、Ｓ７へ移行する。満了していない場合（Ｎ）、Ｓ１２へ移行する。
【００４１】
Ｓ１２：未受令確認局の有無が確認される。未受令確認局が有る場合（Ｙ）、Ｓ１３へ移行する。未受令確認局が無い場合（Ｎ）、Ｓ７へ移行する。なお、未受令確認局とは、受令確認が通知されていない一斉受令装置（３１，４１）や移動系無線装置（３３、４３）等の局を意味している。
【００４２】
Ｓ１３：一斉指令対象局が未受令確認局のみへ変更される。変更後、Ｓ３へ移行する。そして、再指令が行われる。
【００４３】
Ｓ７：終了処理が完了した場合、一斉指令台２２の表示画面には、終了画面が表示される。終了画面には、「初期画面」ボタンが表示される。タイマが満了した場合、または、「初期画面」ボタンが押下された場合、Ｓ１へ移行する。
【００４４】
ここで、Ｓ１１では、未受令確認局がまだある場合でも、再指令設定回数が満了すると、Ｓ７へ移行する。この場合、以下のＳ８およびＳ９を利用して、再度の再指令を行うことが可能である。
【００４５】
Ｓ８：初期画面に表示される「履歴検索」ボタンを押下すると、一斉指令台２２の表示画面には、履歴検索条件入力画面が表示される。履歴検索条件入力画面には、検索の条件入力部と、「表示」ボタンが表示される。検索の条件入力部に、検索条件を入力し、「表示」ボタンを押下すると、Ｓ９へ移行する。
【００４６】
Ｓ９：検索の条件入力部に、検索条件を入力し、「表示」ボタンを押下すると、一斉指令台２２の表示画面には、履歴一覧表示画面が表示される。履歴一覧表示画面には、検索条件と一致する１または複数の一斉指令の一覧が指令履歴として表示される。また、履歴一覧表示画面には、「再指令」ボタンが表示される。指令履歴から特定の一斉指令を選択した後、「再指令」ボタンを押下すると、Ｓ２ａへ移行させることができる。
【００４７】
以上の一斉指令の操作の処理フローでは、一斉指令のシーケンス（Ｓ３〜Ｓ６）が終了した後、再指令のシーケンス（Ｓ１０〜Ｓ１３−＞Ｓ３〜Ｓ６）が行われる。一時的な故障や異常が装置（３１、３３、４１、４３）に発生していた場合、一斉指令のシーケンスでは受信できない場合も考えられる。一斉指令のシーケンスが一旦終了した後、再指令のシーケンスが実行されるので、装置（３１、３３、４１、４３）の一時的な故障や異常が回復している場合には、再指令のシーケンスで、再指令が装置（３１、３３、４１、４３）へ送信できる可能性もある。つまり、一斉指令のシーケンス中に未受令確認局へ再度一斉指令する再送処理よりも、一斉指令後にある程度の時間が経過してから再度一斉指令する再指令処理の方が、未受令確認局が受令できる可能性が高くなるため、一斉指令の到達性を向上させることができる。
【００４８】
以上の一斉指令の操作の処理フローによれば、再指令設定画面で再指令の設定を行うので、一度の一斉指令で、再指令の度に操作者による複数の操作を実施せずに、再指令の実行が可能となる。これにより、操作者は、一斉指令後に、再指令をするための操作を省くことができる。
【００４９】
（一斉指令台の表示画面の構成例）
図４〜図６を用いて、一斉指令台２２の表示画面の構成例を説明する。
【００５０】
図４は、一斉指令の指令種別の選択画面を示す図である。指令種別の選択画面７には、一斉指令の機能として、「ＦＡＸ一斉」ボタン７ａと、「音声一斉」ボタン７ｂと、「データ一斉」ボタン７ｃと、が表示される。「ＦＡＸ一斉」ボタン７ａを押下して選択すると、ＦＡＸを利用した一斉指令が実施されることになる。「音声一斉」ボタン７ｂを押下して選択すると、音声を利用した一斉指令が実施される。「データ一斉」ボタン７ｃを押下して選択すると、文字及び電子データを利用した一斉指令が実施される。
【００５１】
図５は、「音声一斉」ボタン、または、「ＦＡＸ一斉」ボタンを選択した場合の一斉指令内容選択画面の構成例を示す図である。図６は、「データ一斉」ボタンを選択した場合の一斉指令内容選択画面の構成例を示す図である。
【００５２】
図４の指令種別の選択画面７において、「音声一斉」ボタン、または、「ＦＡＸ一斉」ボタンを選択した場合、図５に示すように、一斉指令内容選択画面８には、２６０ＭＨｚ移動設備グループの選択画面８１と、一斉受令装置グループの選択画面８２と、再指令設定画面８３と、が表示される。一斉指令内容選択画面８には、また、「ＯＫ」ボタン８４と、「キャンセル」ボタン８５と、が表示される。選択画面８１および選択画面８２は、音声一斉またはＦＡＸ一斉の指令対象局を選択する画面である。再指令設定画面８３は、音声一斉またはＦＡＸ一斉の再指令対象局を選択する選択部を有する。
【００５３】
選択画面８１は、たとえば、図１の移動系無線装置３３、４３等を選択するための画面である。選択画面８１には、たとえば、グループ１のタブと、グループ２のタブがある。グループ１のタブやグループ２のタブには、２６０ＭＨｚ移動設備グループを選択するための１または複数のボタンが設けられる。グループ１のタブは、一例では、「全移動局」ボタン８１１と、「全市」ボタン８１２と、「全区」ボタン８１３と、「全地区本部」ボタン８１４と、を有する。「全移動局」ボタン８１１を押下して選択すると、全移動局が指令対象局として選択される。「全市」ボタン８１２を押下して選択すると、全市の全移動局が指令対象局として選択される。「全区」ボタン８１３を押下して選択すると、全区の全移動局が指令対象局として選択される。「全地区本部」ボタン８１４を押下して選択すると、全地区本部の全移動局が指令対象局として選択される。選択画面８１では、例として、「全移動局」ボタン８１１が指令対象局として選択された状態であることを、太い枠で示している。
【００５４】
選択画面８２は、たとえば、図１の一斉受令装置３１、４１等を選択するための画面である。選択画面８２には、一斉受令装置グループを選択するための１または複数のボタンが設けられる。選択画面８２は、一例では、「全局」ボタン８２１と、「全区役所局」ボタン８２２と、「全支所局」ボタン８２３と、「消防局」ボタン８２４と、を有する。「全局」ボタン８２１を押下して選択すると、全局の全一斉受令装置が指令対象局として選択される。「全区役所局」ボタン８２２を押下して選択すると、全区役所局の全一斉受令装置が指令対象局として選択される。「全支所局」ボタン８２３を押下して選択すると、全支所局の全一斉受令装置が指令対象局として選択される。「消防局」ボタン８２４を押下して選択すると、消防局の全一斉受令装置が指令対象局として選択される。選択画面８２では、例として、「全局」ボタン８２１が指令対象局として選択された状態であることを、太い枠で示している。
【００５５】
再指令設定画面８３は、再指令を行う設備や装置等を再指令対象局として選択するため、及び、再指令の最大回数を設定するための画面である。再指令設定画面８３は、一例では、２６０ＭＨｚ移動設備を再指令対象局として選択するため選択部８３１と、一斉受令装置を再指令対象局として選択するための選択部８３２と、再指令設定回数の入力部８３３と、を有する。この例では、選択部８３１と選択部８３２とは、選択状態（「レ」）とされており、入力部８３３には、再指令設定回数（再指令の最大回数）として値「１」が入力された状態である。選択部８３１および選択部８３２が選択状態とされない場合、再指令自体が実施されない。
【００５６】
「ＯＫ」ボタン８４は、一斉指令内容選択画面８での選択状態および入力値を確定するためのボタンである。「キャンセル」ボタン８５は、一斉指令内容選択画面８での選択値および入力値を破棄するためのボタンである。
【００５７】
したがって、図５に示す状態は、１回の再指令を、２６０ＭＨｚ移動設備グループ内のグループ１の全移動局と、一斉受令装置グループ内の全局の全一斉受令装置とに対して、自動的に行うことを指定した状態である。なお、再指令自体は、図３で説明したように、未受令確認局に対しのみ行われる。
【００５８】
図４の指令種別の選択画面７において、「データ一斉」ボタンを選択した場合、図６に示すように、一斉指令内容選択画面８には、２６０ＭＨｚ移動設備グループの選択画面８１と、一斉受令装置／庁内放送設備グループの選択画面８２ａと、再指令設定画面８３と、が表示される。一斉指令内容選択画面８には、また、「ＯＫ」ボタン８４と、「キャンセル」ボタン８５と、が表示される。データ一斉では、２６０ＭＨｚ移動設備グループには一斉指令が実施できないので、選択画面８１には、選択するためのボタンが表示されない。つまり、移動系無線装置３３，４３はデータを受信できないので、データ一斉の指令対象局および再指令対象局から除外される。そのため、再指令設定画面８３でも、２６０ＭＨｚ移動設備の選択部８３１は非活性状態になる。
【００５９】
一斉受令装置／庁内放送設備グループの選択画面８２ａは、一例では、図５と同様に、「全局」ボタン８２１と、「全区役所局」ボタン８２２と、「全支所局」ボタン８２３と、「消防局」ボタン８２４と、を有する。図６では、例として、「全局」ボタン８２１が選択された状態であることを、太い枠で示している。
【００６０】
再指令設定画面８３は、この例では、選択部８３２が選択状態（「レ」）とされており、入力部８３３には、再指令設定回数として値「１」が入力された状態である。
【００６１】
選択画面７での選択された一斉指令の指令種別、一斉指令内容選択画面８での選択状態（選択値）および入力値は、一斉指令制御装置２３の記憶部２３ａに格納されることになる。したがって、記憶部２３ａには、一斉指令の指令種別、一斉指令の指令対象局、再指令の指令対象局、及び、再指令設定回数が設定値として格納される。一斉指令の再指令が実施される場合、記憶部２３ａに格納された再指令の指令対象局、再指令設定回数が、一斉指令制御装置２３によって参照される。
【００６２】
（一斉指令のシーケンス）
図７および図８を用いて、一斉指令のシーケンスを説明する。図７は、実施例に係る一斉指令のシーケンスの一部分を示す図である。図８は、図７に続く、一斉指令のシーケンスの一部分を示す図である。図７の下部に示すａ、ｂ、ｃ、ｄ、ｅ、ｆは、図８の上部に示すａ、ｂ、ｃ、ｄ、ｅ、ｆに連結される。したがって、図７と図８とを連結すると、一斉指令のシーケンスの全体が示される。また、図７および図８で示される、一斉指令のシーケンスは、図４において、「音声一斉」ボタンが押下された場合の一斉指令のシーケンスに対応する。また、図５において、音声一斉の指令対象局、再指令対象局、再指令設定回数（再指令の最大回数：たとえば、３回）が設定されるものとする。
【００６３】
図７に示す様に、一斉指令台２２の表示画面には、初期画面が表示されている。初期画面で、「一斉指令」ボタンを押下することで、一斉指令のシーケンスが開始される。一斉指令台２２の表示画面は、一斉指令の指令種別の選択画面（図４参照）が表示される。以下、各ステップ（ｆ１〜ｆ８０）を説明する。
【００６４】
ｆ１：ここで、「音声一斉」ボタンを押下する。その後、図５において、音声一斉の指令対象局、再指令対象局、再指令設定回数（再指令の最大回数：たとえば、３回）が設定値として設定される。
【００６５】
ｆ２：その後、一斉指令台２２から一斉指令制御装置２３へ、音声一斉の回線接続起動が指令種別および設定値と共に通知される。ここで、指令種別および設定値が記憶部２３ａに格納される。
【００６６】
ｆ３：回線接続起動（起動電文）を受けた一斉指令制御装置２３は、回線が起動中であることを一斉指令台２２に通知する。
【００６７】
ｆ４：一斉指令台２２の表示画面において、「指令開始」ボタンが押下される。
【００６８】
ｆ５：「指令開始」ボタンの押下に基づいて、一斉指令台２２から一斉指令制御装置２３へ回線接続起動が指令内容と共に通知される。
【００６９】
ｆ６：回線接続起動を受けた一斉指令制御装置２３は、回線が起動中であることを一斉指令台２２に通知する。
【００７０】
ｆ７：一斉指令制御装置２３から音声/ＦＡＸ変換装置２４へ、音声一斉の回線接続起動が通知される。
【００７１】
ｆ８：また、一斉指令制御装置２３から一斉受令装置３１へ、音声一斉の回線接続起動が通知される。
【００７２】
ｆ９：回線接続起動を受けた一斉受令装置３１は、一斉指令応答として接続確認を、一斉指令制御装置２３に通知する。
【００７３】
ｆ１０：接続確認を受けた一斉指令制御装置２３は、一斉受令装置３１から接続確認を受けたことを、一斉指令応答として、一斉指令台２２に通知する。
【００７４】
ｆ１１：音声一斉の回線接続起動を受けた音声/ＦＡＸ変換装置２４は、２６０ＭＨｚ移動系統制局制御装置２６へ音声の一斉開始通知を通知する。
【００７５】
ｆ１２：音声の一斉開始通知を受けた２６０ＭＨｚ移動系統制局制御装置２６は、一斉開始応答を音声/ＦＡＸ変換装置２４へ通知する。
【００７６】
ｆ１３：また、２６０ＭＨｚ移動系統制局制御装置２６は、呼接続通知を音声/ＦＡＸ変換装置２４へ通知する。
【００７７】
ｆ１４：呼接続通知を受けた音声/ＦＡＸ変換装置２４は、呼接続応答を２６０ＭＨｚ移動系統制局制御装置２６へ通知する。
【００７８】
ｆ１５：ｆ１４の後、音声/ＦＡＸ変換装置２４は、回線が起動中であることを、一斉指令制御装置２３に通知する。
【００７９】
ｆ１６：ｆ１５の後、一斉指令制御装置２３は、回線が起動中であることを一斉指令台２２に通知する。
【００８０】
ｆ１７：一斉指令台２２は、２６０ＭＨｚ制御情報に異常なし、音声変換制御情報に異常なし、かつ、接続確認状況が１００％であることを確認する。
【００８１】
ｆ１８：ｆ１７の後、一斉指令台２２は、呼出起動信号を一斉指令制御装置２３へ通知する。
【００８２】
ｆ１９：呼出起動信号を受けた一斉指令制御装置２３は、呼出起動が起動中であることを、一斉指令台２２へ通知する。
【００８３】
ｆ２０：ｆ１９の後、一斉指令制御装置２３は、呼出起動信号を、音声/ＦＡＸ変換装置２４へ通知する。
【００８４】
ｆ２１：また、一斉指令制御装置２３は、呼出起動信号を、一斉受令装置３１へ通知する。
【００８５】
ｆ２２：呼出起動信号を受けた音声/ＦＡＸ変換装置２４は、無線システム統制局制御装置２６へマイク通報開始通知を通知する。
【００８６】
ｆ２３：呼出起動信号を受けた一斉受令装置３１は、一斉指令応答として呼出確認を、一斉指令制御装置２３に通知する。
【００８７】
ｆ２４：マイク通報開始通知を受けた無線システム統制局制御装置２６は、マイク通報開始応答を、音声/ＦＡＸ変換装置２４へ通知する。
【００８８】
ｆ２５：ｆ２３の後、呼出確認を受けた一斉指令制御装置２３は、一斉指令応答として呼出確認を、一斉指令台２２へ通知する。
【００８９】
ｆ２６：マイク通報開始応答を受けた音声/ＦＡＸ変換装置２４は、呼出起動が起動中であることを、一斉指令制御装置２３へ通知する。
【００９０】
ｆ２７：ｆ２６の後、呼出起動が起動中であることを受けた一斉指令制御装置２３は、呼出起動が起動中であることを、一斉指令台２２へ通知する。
【００９１】
ｆ２８：一斉指令台２２は、２６０ＭＨｚ制御情報に異常なし、音声変換制御情報に異常なし、かつ、応答確認状況が１００％であることを確認する。
【００９２】
ｆ２９：ｆ２８の後、一斉指令台２２は、一斉指令中信号を、一斉指令制御装置２３へ通知する。
【００９３】
ｆ３０：一斉指令中信号を受けた一斉指令制御装置２３は、一斉指令中であることを、一斉指令台２２へ通知する。
【００９４】
ｆ３１：ｆ３０の後、一斉指令制御装置２３は、一斉指令中信号を、音声/ＦＡＸ変換装置２４へ通知する。
【００９５】
ｆ３２：また、一斉指令制御装置２３は、一斉指令中信号を、一斉受令装置３１へ通知する。
【００９６】
ｆ３３：ｆ３１の後、一斉指令中信号を受けた音声/ＦＡＸ変換装置２４は、一斉指令中であることを、一斉指令制御装置２３へ通知する。
【００９７】
ｆ３４：一斉指令中信号を受けた一斉受令装置３１は、一斉指令応答として接続確認を、一斉指令制御装置２３へ通知する。
【００９８】
ｆ３５：その後、一斉指令台２２から音声/ＦＡＸ変換装置２４および一斉受令装置３１へ、音声一斉指令開始トーキが通知される。また、音声/ＦＡＸ変換装置２４から無線システム統制局制御装置２６へ音声が通知される。
【００９９】
ｆ３６：一斉指令台２２は、音声一斉指令の再生終了、「応答／受令確認開始」ボタンの押下、または、指令最大時間経過により、受令確認を行う。
【０１００】
ｆ３７：一斉指令台２２は、一斉指令制御装置２３へ受令確認信号を通知する。
【０１０１】
ｆ３８：受令確認信号を受けた一斉指令制御装置２３は、一斉指令台２２へ、受令確認中であることを通知する。
【０１０２】
ｆ３９：一斉指令制御装置２３は、音声/ＦＡＸ変換装置２４へ受令確認信号を通知する。
【０１０３】
ｆ４０：一斉指令制御装置２３は、一斉受令装置３１へ受令確認信号を通知する。
【０１０４】
ｆ４１：受令確認信号を受けた一斉受令装置３１は、一斉指令応答として呼出確認を、一斉指令制御装置２３へ通知する。
【０１０５】
ｆ４２：受令確認信号を受けた音声/ＦＡＸ変換装置２４は、無線システム統制局制御装置２６へマイク通報終了通知を通知する。
【０１０６】
ｆ４３：マイク通報終了通知を受けた無線システム統制局制御装置２６は、音声/ＦＡＸ変換装置２４へマイク通報終了応答を通知する。
【０１０７】
ｆ４４：マイク通報終了応答を受けた音声/ＦＡＸ変換装置２４は、無線システム統制局制御装置２６へ受確指示通知を通知する。
【０１０８】
ｆ４５：受確指示通知を受けた無線システム統制局制御装置２６は、音声/ＦＡＸ変換装置２４へ受確指示応答を通知する。
【０１０９】
ｆ４６：一斉受令装置３１において、「受令確認」ボタンが押下される。
【０１１０】
ｆ４７：ｆ４６の後、一斉受令装置３１は、一斉指令応答として受令確認を、一斉指令制御装置２３へ通知する。
【０１１１】
ｆ４８：ｆ４７の後、受令確認を受けた一斉指令制御装置２３は、一斉指令応答として受令確認を、一斉指令台２２へ通知する。
【０１１２】
ｆ４９：無線システム統制局制御装置２６は、音声/ＦＡＸ変換装置２４へ局状態通知を通知する。
【０１１３】
ｆ５０：局状態通知を受けた音声/ＦＡＸ変換装置２４は、無線システム統制局制御装置２６へ局状態応答を通知する。
【０１１４】
ｆ５１：ｆ５０の後、音声/ＦＡＸ変換装置２４は、一斉指令応答として受令確認を、一斉指令制御装置２３へ通知する。
【０１１５】
ｆ５２：ｆ５１の後、受令確認を受けた一斉指令制御装置２３は、一斉指令応答として受令確認を、一斉指令台２２へ通知する。
【０１１６】
ｆ５３：無線システム統制局制御装置２６は、音声/ＦＡＸ変換装置２４へ受確収集完了通知を通知する。
【０１１７】
ｆ５４：受確収集完了通知を受けた音声/ＦＡＸ変換装置２４は、無線システム統制局制御装置２６へ受確収集完了応答を通知する。
【０１１８】
ｆ５５：ｆ５４の後、音声/ＦＡＸ変換装置２４は、受令確認中であることを、一斉指令制御装置２３へ通知する。
【０１１９】
ｆ５６：ｆ５５の後、一斉指令制御装置２３は、受令確認中であることを、一斉指令台２２へ通知する。
【０１２０】
ｆ５７：一斉指令台２２は、タイマ満了、「受令確認終了」ボタンの押下、または、受確割合１００％の場合、一斉指令の終了指示を指示する終了指示信号を通知するために、ｆ５８へ移行する。
【０１２１】
ｆ５８：一斉指令台２２は、終了指示信号を、一斉指令制御装置２３へ通知する。
【０１２２】
ｆ５９：終了指示信号を受けた一斉指令制御装置２３は、終了中であることを、一斉指令台２２へ通知する。
【０１２３】
ｆ６０：一斉指令制御装置２３は、終了指示信号を、音声/ＦＡＸ変換装置２４へ通知する。
【０１２４】
ｆ６１：一斉指令制御装置２３は、終了指示信号を、一斉受令装置３１へ通知する。
【０１２５】
ｆ６２：音声/ＦＡＸ変換装置２４は、一斉終了通知を、無線システム統制局制御装置２６へ通知する。
【０１２６】
ｆ６３：一斉終了通知を受けた無線システム統制局制御装置２６は、一斉終了応答を、音声/ＦＡＸ変換装置２４へ通知する。
【０１２７】
ｆ６４：一斉終了応答を受けた音声/ＦＡＸ変換装置２４は、終了中であることを、一斉指令制御装置２３へ通知する。
【０１２８】
ｆ６５：終了指示信号を受けた一斉受令装置３１は、一斉指令応答として受令確認を、一斉指令制御装置２３へ通知する。
【０１２９】
ｆ６６：タイマ満了の後、一斉指令台２２は、受確割合１００％未到達、かつ、一定時間経過後の場合、再指令確認要求を通知するため、ｆ６７へ移行する。
【０１３０】
ｆ６７：一斉指令台２２は、再指令確認要求を、一斉指令制御装置２３へ通知する。
【０１３１】
ｆ６８：再指令確認要求を受けた一斉指令制御装置２３は、再指令確認応答を、一斉指令台２２へ通知する。ここで、一斉指令の再指令対象が有る場合、ｆ６９へ移行する。
【０１３２】
ｆ６９：一斉指令台２２は、一斉指令の再指令準備として再一斉指令信号を、一斉指令制御装置２３へ通知する。
【０１３３】
ｆ７０：再一斉指令信号を受けた一斉指令制御装置２３は、回線が起動中であることを、一斉指令台２２に通知する。
【０１３４】
ｆ７１：一斉指令台２２は、音声一斉の回線接続を起動するため、ｆ５へ移行する。そして、ｆ４〜ｆ７０が繰り返し実行される。繰り返しの回数は、最大で、再指令設定回数で設定した再指令の最大回数（ここでは、３回）である。なお、繰り返しの回数が、たとえば、２回目の時に、受確割合が１００％に到達した場合、再指令の最大回数が３回であっても、受確割合が１００％に到達した時点で、ｆ７２へ移行する。また、繰り返しの回数が再指令の最大回数（３回）に達した場合、受確割合が１００％に未達であっても、ｆ７２へ移行する。
【０１３５】
ｆ７２：一斉指令台２２は、アイドル信号を、一斉指令制御装置２３へ通知する。アイドル信号を受けた一斉指令制御装置２３は、一斉指令の履歴を作成する。
【０１３６】
ｆ７３：ｆ７２の後、一斉指令制御装置２３は、アイドル信号を、音声/ＦＡＸ変換装置２４へ通知する。
【０１３７】
ｆ７４：また、一斉指令制御装置２３は、アイドル信号を、一斉受令装置３１へ通知する。
【０１３８】
ｆ７５：アイドル信号を受けた音声/ＦＡＸ変換装置２４は、アイドルであることを、一斉指令制御装置２３へ通知する。
【０１３９】
ｆ７６：アイドル信号を受けた一斉受令装置３１は、アイドルであることを、一斉指令制御装置２３へ通知する。
【０１４０】
ｆ７７：一斉指令台２２は、タイマ満了、または、「初期画面」ボタンが押下されると、一斉指令制御装置２３内のデータベース（ＤＢ）アクセスするために、ｆ７９へ移行する。
【０１４１】
ｆ７８：一斉指令台２２は、一斉指令結果ＤＢ取得の指示を、一斉指令制御装置２３へ通知する。
【０１４２】
ｆ７９：一斉指令結果ＤＢ取得の指示を受けた一斉指令制御装置２３は、一斉指令結果を、一斉指令台２２へ通知する。
【０１４３】
ｆ８０：一斉指令結果を受けた一斉指令台２２では、その表示画面に、一斉指令結果が表示される。また、一斉指令結果が印字される。その後、一斉指令台２２の表示画面には、初期画面が表示される。
【０１４４】
以上のように、最終的に受令確認が完了（ｆ５７）することで、指令結果が一斉指令台２２の表示画面上に表示され、一斉指令は終了となる（ｆ５８〜ｆ６５）。しかし、一斉指令の設定時に再指令を行う設定としていた場合（図５、図６参照）、受令確認（ｆ５７）後に受令確認が１００％にならず、かつ、一定時間の経過（ｆ６６）で、再指令の設定に従い統制局２は、再指令を実行する。再指令を実施する際に、設定された再指令対象局の内、一斉受令装置（３１、４１）、に関しては未受令確認局のみに変更され、その後、シーケンス上の回線接続起動（ｆ５）から改めて、再指令が実施される。
【０１４５】
（指令結果）
次に、図９を用いて、指令結果について説明する。図９は、指令結果を説明する図である。図９では、一斉指令（初回）と３回の再指令（再指令１〜再指令３）とが、一例として、示されている。なお、図９の指令対象局／装置において、Ａ局は端末局３であり、Ｂ局は端末局４である。また、Ａ局の一斉受令装置および無線装置は一斉受令装置３１および移動系無線装置３３であり、Ｂ局の一斉受令装置および無線装置は一斉受令装置４１および移動系無線装置４３である。
【０１４６】
一斉指令（初回）では、Ａ局の一斉受令装置からの受令確認が確認された（○）が、Ａ局の無線装置、Ｂ局の一斉受令装置および無線装置からの受令確認が確認されなかった（×）という状態が示されている。
【０１４７】
１回目の再指令１では、受令確認が確認されたＡ局の一斉受令装置は再指令対象から除外され（−）、Ａ局の無線装置、Ｂ局の一斉受令装置および無線装置の３つの装置が未受令確認局として再指令対象にされている。この例では、Ｂ局の無線装置からの受令確認が確認された（○）が、Ａ局の無線装置とＢ局の一斉受令装置とは受令確認が確認されなかった（×）という状態が示されている。
【０１４８】
２回目の再指令２では、再指令１でＢ局の無線装置からの受令確認が確認されているが、Ａ局の無線装置、Ｂ局の一斉受令装置および無線装置の３つの装置が再指令対象にされている。Ａ局の無線装置やＢ局の無線装置は、細かな設定自体ができない場合があり、Ｂ局の無線装置からの受令確認が確認されているが、Ｂ局の無線装置は、再指令対象とされている。この例では、Ａ局の無線装置とＢ局の一斉受令装置とは受令確認が確認された（○）が、Ｂ局の無線装置からの受令確認が確認されなかった（×）という状態が示されている。したがって、一斉指令（初回）、再指令１および再指令２において、対象装置すべてが、１度は、受令確認が確認された（○）という状態である。
【０１４９】
３回目の再指令３では、一斉指令（初回）、再指令１および再指令２の結果を受けて、再指令３が実行されないことを示している。
【０１５０】
つまり、一斉指令の指令結果は、シーケンス１周り毎に管理され、１度でも受令確認が確認された局（装置）については、その後に、再指令２のＢ局の無線装置の様に、失敗（×）があったとしても、ＯＲ的に処理され、１回の指令結果としては、一斉指令が成功（○）したと判断する。したがって、図９の指令結果に示す様に、すべての装置の受令確認が確認されたこと（○）になる。そして、この指令結果が一斉指令台２２の表示画面に表示される。また、この指令結果が、一斉指令制御装置２３の記憶部２３ａに、一斉指令履歴として保存される。
【０１５１】
実施例によれば、以下の効果を得ることができる。
【０１５２】
１）一斉指令台２２から一斉指令を発令操作する際に、一斉指令毎に端末局（３１、３３、４１，４３）から応答または受令確認がなかった際に、どの装置へ最大何回の再指令を実施するという設定を一斉指令台２２の一斉指令内容選択画面に入力する。一斉指令制御装置２３は入力された内容に従って、自動的に設定された再指令の回数が満了するか、もしくは指令対象局となった全端末局（３、４）から応答及び受令確認があるまで再指令を実行する。これにより、一度の一斉指令で、再指令の度に操作者による複数の操作を実施せずに、再指令の実行が可能となる。
【０１５３】
２）また、一斉指令制御装置は、一斉指令のシーケンスが一旦した後に、再指令のシーケンスを実行する。これにより、一斉指令後にある程度の時間が経過してから再度一斉指令するため、一時的な故障や異常から回復した未受令確認局が受令できる可能性が高くなり、一斉指令の到達性を向上させることができる。
【０１５４】
以上、本発明者によってなされた発明を実施例に基づき具体的に説明したが、本発明は、上記実施形態および実施例に限定されるものではなく、種々変更可能であることはいうまでもない。
【符号の説明】
【０１５５】
１：無線通信システム
２：統制局
２２：一斉指令台
２３：一斉指令制御装置
２３ａ：記憶部
２４：音声/ＦＡＸ変換装置
２６：無線システム統制局制御装置
３、４：端末局
３１、４１：一斉受令装置
３３、４３：移動系無線装置
【図１】
2020161878.tif 000003
【図２】
2020161878.tif 000004
【図３】
2020161878.tif 000005
【図４】
2020161878.tif 000006
【図５】
2020161878.tif 000007
【図６】
2020161878.tif 000008
【図７】
2020161878.tif 000009
【図８】
2020161878.tif 000010
【図９】
2020161878.tif 000011